(57)【要約】【課題】建具枠の寸法基準と建物の寸法基準とが異なっている場合において、建物の外観品質を確保しつつ、建具枠と外壁材との間の水密性並びに気密性を確保することができる建具枠と外壁材とのシール構造を得る。【解決手段】建具枠６０の縦壁部７２Ａと外壁材２４の先細り部２４Ａとの間に双方から離間して縦壁部７２Ａ及び先細り部２４Ａに沿って延びる目地部８８が配置されている。このため、縦壁部７２Ａと先細り部２４Ａとの間の隙間の一部を目地部８８で埋めることができる。また、目地部８８と先細り部２４Ａとの間の隙間には、ガスケット９８が配置されており、目地部８８と外壁材２４との間の水密性並びに気密性を確保することができる。一方、目地部８８におけるガスケット９８の反対側では、目地部８８と縦壁部７２Ａとの間の隙間にシーリング材１００が配置されており、目地部８８と建具枠６０との間の水密性並びに気密性を確保することができる。【選択図】図１
2019052492.tif 000002
【特許請求の範囲】
【請求項１】
建物の外壁に設けられた開口部に配置された建具の一部を構成しかつ当該開口部の周縁部に沿って配置された建具枠と、
前記建具枠の周縁部と前記外壁の壁面の一部を構成する外壁材の周縁部との間に双方から離間して配置されて当該建具枠の周縁部及び当該外壁材の周縁部に沿って延びる目地部と、
前記目地部と前記外壁材の周縁部との間の隙間に配置されて当該隙間を建物外側からシールする定型シール部と、
前記目地部における前記定型シール部の反対側において当該目地部と前記建具枠の周縁部との間の隙間に配置されて当該隙間を建物外側からシールする湿式シール部と、
を有する建具枠と外壁材とのシール構造。
【請求項２】
前記建具枠は、建物上下方向に延びる縦枠部を備え、前記建具枠の周縁部のうち当該縦枠部を構成する部分からは板厚方向を前記外壁材の板厚方向とされて建物上下方向に延びるフランジ部が前記目地部側に延びており、
前記目地部は、目地下地部と目地化粧部とを含んで構成されていると共に、
前記目地下地部は、前記外壁の骨格を構成する外壁フレームに取り付けられ、板厚方向を前記外壁材の板厚方向とされて建物上下方向に延びる板状とされた取付部と、当該取付部における前記定型シール部側の周縁部から建物外側に延出された第１立上り部と、当該取付部の前記湿式シール部側の周縁部から建物外側に延出された第２立上り部と、を含んで構成されており、
前記目地化粧部は、板厚方向を前記外壁材の板厚方向とされて前記目地下地部に沿って延びると共に、前記取付部を建物外側から覆う覆い部を含んで構成されている、
請求項１に記載の建具枠と外壁材とのシール構造。
【請求項３】
前記定型シール部は、前記目地部と前記外壁材の周縁部との間の隙間に配置された状態において前記外壁材の周縁部に係止されるリップ部を含んで構成されており、
前記第１立上り部の建物外側の端部の位置は、前記定型シール部が前記隙間に配置された状態において前記リップ部が前記外壁材の周縁部及び当該端部に係止可能な位置に設定されている、
請求項２に記載の建具枠と外壁材とのシール構造。
【請求項４】
前記第２立上り部の建物上下方向の長さは、前記フランジ部の建物上下方向の長さと同じ長さに設定されている、
請求項２又は請求項３に記載の建具枠と外壁材とのシール構造。
【請求項５】
前記目地化粧部は、前記覆い部の前記定型シール部側の周縁部から建物内側に延びると共に前記第１立上り部の当該定型シール部の反対側の面に沿って配置された第１延出部と、当該覆い部の前記湿式シール部側の周縁部から建物内側に延びると共に前記第２立上り部の当該湿式シール部側の面に沿って配置された第２延出部と、当該第２延出部の建物内側の周縁部から当該定型シール部の反対側に延びると共に前記フランジ部の建物外側の面に沿って配置された第３延出部と、を含んで構成されている、
請求項２〜請求項４の何れか１項に記載の建具枠と外壁材とのシール構造。
【発明の詳細な説明】
【技術分野】
【０００１】
本発明は、建具枠と外壁材とのシール構造に関する。
【背景技術】
【０００２】
下記特許文献１には、片引戸に関する発明が開示されている。この片引戸では、建物の外壁に開口部が設けられており、この開口部に固定されたサッシ枠には、障子（建具）用のレールが配置されている。また、開口部の建物上下方向に延びる縁部には、その全長に亘って封止材が密着状態で固定されており、この封止材は、開口部を閉止した状態の障子の縦框と密着するようになっている。このため、サッシ枠の内部に納められた障子と外壁の壁面との間の水密性並びに気密性を向上させることができる。
【先行技術文献】
【特許文献】
【０００３】
【特許文献１】特開２００２−１１５４６２号公報
【発明の概要】
【発明が解決しようとする課題】
【０００４】
しかしながら、上記特許文献１に開示された片引戸では、建具の寸法基準と建具が取り付けられる建物の寸法基準とが異なっている場合、これらの寸法基準が同一である場合と比し、建具枠と外壁の壁面を構成する外壁材との間の間隔が大きくなる。そして、建具枠と外壁材との間を湿式シール材のみでシールしようとすると、建物の外観が損なわれることが考えられる。つまり、上記先行技術では、建具枠の寸法基準と建物の寸法基準とが異なっている場合において、建物の外観品質を確保しつつ、建具枠と外壁材との間の水密性並びに気密性を確保するという点において改善の余地がある。
【０００５】
本発明は上記事実を考慮し、建具枠の寸法基準と建物の寸法基準とが異なっている場合において、建物の外観品質を確保しつつ、建具枠と外壁材との間の水密性並びに気密性を確保することができる建具枠と外壁材とのシール構造を得ることが目的である。
【課題を解決するための手段】
【０００６】
第１の態様に係る建具枠と外壁材とのシール構造は、建物の外壁に設けられた開口部に配置された建具の一部を構成しかつ当該開口部の周縁部に沿って配置された建具枠と、前記建具枠の周縁部と前記外壁の壁面の一部を構成する外壁材の周縁部との間に双方から離間して配置されて当該建具枠の周縁部及び当該外壁材の周縁部に沿って延びる目地部と、前記目地部と前記外壁材の周縁部との間の隙間に配置されて当該隙間を建物外側からシールする定型シール部と、前記目地部における前記定型シール部の反対側において当該目地部と前記建具枠の周縁部との間の隙間に配置されて当該隙間を建物外側からシールする湿式シール部と、を有している。
【０００７】
第１の態様に係る建具枠と外壁材とのシール構造では、建物の外壁に設けられた開口部に建具が配置されており、当該建具の一部を構成する建具枠が当該開口部の周縁部に沿って配置されている。また、外壁の壁面の一部を構成する外壁材の周縁部と建具枠の周縁部とは、互いに離間された状態となっている。
【０００８】
ところで、建具の寸法基準と建物の寸法基準とが異なっている場合、具体的には、建具に尺モジュールが採用されると共に建物にメーターモジュールが採用されている場合、建具の寸法基準と建物の寸法基準が同一である場合と比し、外壁材の周縁部と建具枠の周縁部との間の間隔が大きくなる。この場合、外壁材と建具枠との間の水密性並びに気密性を確保するために、外壁材の周縁部と建具枠の周縁部との間を湿式シール材のみでシールしようとすると、建物の外観が損なわれると共に、所定のシール性能を得られないことが考えられる。
【０００９】
ここで、本態様では、建具枠の周縁部と外壁材の周縁部との間に双方から離間して配置されて当該建具枠の周縁部及び当該外壁材の周縁部に沿って延びる目地部を有している。このため、建具枠の周縁部と外壁材の周縁部との間の隙間の一部を目地部で埋めることができ、当該隙間を湿式シール材のみで埋める場合と比し、建物の外観を向上させることができる。また、目地部と外壁材の周縁部との間の隙間には、定型シール部が配置されており、当該隙間を建物外側からシールすることができるため、目地部と外壁材との間の水密性並びに気密性を確保することができる。一方、目地部における定型シール部の反対側では、当該目地部と建具枠の周縁部との間の隙間に湿式シール部が配置されており、当該隙間を建物外側からシールすることができるため、目地部と建具枠との間の水密性並びに気密性を確保することができる。
【００１０】
第２の態様に係る建具枠と外壁材とのシール構造は、第１の態様に係る建具枠と外壁材とのシール構造において、前記建具枠は、建物上下方向に延びる縦枠部を備え、前記建具枠の周縁部のうち当該縦枠部を構成する部分からは板厚方向を前記外壁材の板厚方向とされて建物上下方向に延びるフランジ部が前記目地部側に延びており、前記目地部は、目地下地部と目地化粧部とを含んで構成されていると共に、前記目地下地部は、前記外壁の骨格を構成する外壁フレームに取り付けられ、板厚方向を前記外壁材の板厚方向とされて建物上下方向に延びる板状とされた取付部と、当該取付部における前記定型シール部側の周縁部から建物外側に延出された第１立上り部と、当該取付部の前記湿式シール部側の周縁部から建物外側に延出された第２立上り部と、を含んで構成されており、前記目地化粧部は、板厚方向を前記外壁材の板厚方向とされて前記目地下地部に沿って延びると共に、前記取付部を建物外側から覆う覆い部を含んで構成されている。
【００１１】
第２の態様に係る建具枠と外壁材とのシール構造では、建具枠が建物上下方向に延びる縦枠部を備えており、建具枠の周縁部のうち当該縦枠部を構成する部分からは、板厚方向を外壁材の板厚方向とされて建物上下方向に延びるフランジ部が目地部側に延びている。
【００１２】
また、目地部は、目地下地部と目地化粧部とを含んで構成されており、当該目地下地部は、取付部と、第１立上り部と、第２立上り部とを含んで構成されている。そして、取付部は、板厚方向を外壁材の板厚方向とされて建物上下方向に延びる板状とされていると共に、外壁の骨格を構成する外壁フレームに取り付けられている。この取付部の定型シール部側の周縁部からは、第１立上り部が建物外側に延出されており、当該第１立上り部の建物外側の端部の位置を調整することで定型シール部の位置を適切な位置に設定することが可能となる。一方、取付部の湿式シール部側の周縁部からは、第２立上り部が建物外側に延出されており、縦枠部の取付時において、縦枠部のフランジ部を第２立上り部に当接させることで第２立上り部を縦枠部のガイドとして用いることができる。
【００１３】
さらに、目地化粧部は、板厚方向を外壁材の板厚方向とされて目地下地部に沿って延びる覆い部を備えており、当該覆い部によって目地下地部の取付部を建物外側から覆い隠すことができる。
【００１４】
第３の態様に係る建具枠と外壁材とのシール構造は、第２の態様に係る建具枠と外壁材とのシール構造において、前記定型シール部は、前記目地部と前記外壁材の周縁部との間の隙間に配置された状態において前記外壁材の周縁部に係止されるリップ部を含んで構成されており、前記第１立上り部の建物外側の端部の位置は、前記定型シール部が前記隙間に配置された状態において前記リップ部が前記外壁材の周縁部及び当該端部に係止可能な位置に設定されている。
【００１５】
第３の態様に係る建具枠と外壁材とのシール構造では、定型シール部がリップ部を含んで構成されており、当該リップ部は、定型シール部が目地部と外壁材の周縁部との間の隙間に配置された状態において外壁材の周縁部に係止されるようになっている。
【００１６】
ここで、本態様では、第１立上り部の建物外側の端部の位置が、定型シール部が目地部と外壁材の周縁部との間の隙間に配置された状態においてリップ部が外壁材の周縁部及び当該端部に係止可能な位置に設定されている。このため、定型シール部が目地部と外壁材の周縁部との間の隙間に配置された状態において、定型シール部のリップ部を外壁材の周縁部及び第１立上り部の建物外側の端部に密着させることができる。
【００１７】
第４の態様に係る建具枠と外壁材とのシール構造は、第２の態様又は第３の態様の何れか一態様に係る建具枠と外壁材とのシール構造において、前記第２立上り部の建物上下方向の長さは、前記フランジ部の建物上下方向の長さと同じ長さに設定されている。
【００１８】
第４の態様に係る建具枠と外壁材とのシール構造では、目地下地部の第２立上り部の建物上下方向の長さが、縦枠部のフランジ部の建物上下方向の長さと同じ長さに設定されている。このため、縦枠部を取り付けるときに、当該縦枠部のフランジ部の位置を目地下地部の第２立上り部を基準として位置合わせすることができる。
【００１９】
第５の態様に係る建具枠と外壁材とのシール構造は、第４の態様に係る建具枠と外壁材とのシール構造において、前記目地化粧部は、前記覆い部の前記定型シール部側の周縁部から建物内側に延びると共に前記第１立上り部の当該定型シール部の反対側の面に沿って配置された第１延出部と、当該覆い部の前記湿式シール部側の周縁部から建物内側に延びると共に前記第２立上り部の当該湿式シール部側の面に沿って配置された第２延出部と、当該第２延出部の建物内側の周縁部から当該定型シール部の反対側に延びると共に前記フランジ部の建物外側の面に沿って配置された第３延出部と、を含んで構成されている。
【００２０】
第５の態様に係る建具枠と外壁材とのシール構造では、目地化粧部が第１延出部と第２延出部と第３延出部とを含んで構成されている。第１延出部は、覆い部の定型シール部側の周縁部から建物内側に延びると共に、目地下地部の第１立上り部における当該定型シール部の反対側の面に沿って配置されている。このため、目地化粧部、目地下地部及び定型シール部の納まりを良好なものとすることができる。
【００２１】
また、第２延出部は、覆い部の湿式シール部側の周縁部から建物内側に延びると共に目地下地部の第２立上り部の湿式シール部側の面に沿って配置されており、当該第２延出部の建物内側の周縁部からは、定型シール部の反対側に延びる第３延出部が設けられている。このため、目地化粧部と目地下地部とで構成される閉空間内に水等が浸入するのを抑制することができる。さらに、第３延出部は、フランジ部の建物外側の面に沿って配置されており、目地化粧部及び縦枠部を共通の取付部材で取り付けることができる。
【００２２】
以上説明したように、第１の態様に係る建具枠と外壁材とのシール構造では、建具枠の寸法基準と建物の寸法基準とが異なっている場合において、建物の外観品質を確保しつつ、建具枠と外壁材との間の水密性並びに気密性を確保することができるという優れた効果を有する。
【００２３】
第２の態様に係る建具枠と外壁材とのシール構造では、建具枠の設置作業の簡易化を図ることができると共に、建具枠の周辺部の外観品質を確保することができるという優れた効果を有する。
【００２４】
第３の態様に係る建具枠と外壁材とのシール構造では、目地部と外壁材との間の水密性並びに気密性をより確保することができるという優れた効果を有する。
【００２５】
第４の態様に係る建具枠と外壁材とのシール構造では、建具枠の取付作業を簡略化することができるという優れた効果を有する。
【００２６】
第５の態様に係る建具枠と外壁材とのシール構造では、目地部の外観品質を確保しつつ建具枠の取付作業を簡略化することができるという優れた効果を有する。
【図面の簡単な説明】
【００２７】
【図１】本実施形態に係る建具枠と外壁材との境界部分の構成を示す断面図（図６の１−１線に沿って切断した状態を示す断面図）である。
【図２】本実施形態に係る建具枠と外壁材との境界部分の構成を示す断面図（図６の２−２線に沿って切断した状態を示す断面図）である。
【図３】本実施形態に係る建具枠の構成を示す分解図である。
【図４】本実施形態に係る建具の構成を示す断面図（図６の４−４線に沿って切断した状態を示す断面図）である。
【図５】本実施形態に係る建物の建具が取り付けられていない状態の玄関の構成を示す正面図である。
【図６】本実施形態に係る建物の玄関の構成を示す正面図である。
【発明を実施するための形態】
【００２８】
以下、図１〜図６を用いて、本発明の実施形態に係る建具枠と外壁材とのシール構造が適用された建物の一例について説明する。
【００２９】
まず、本実施形態に係る「建物１０」の全体構造について説明する。この建物１０は、図示しない基礎上に複数個の建物ユニット１２が据え付けられて構成されており、図５及び図６に示されるように、その下階部分に玄関１４を備えている。なお、建物ユニット１２は、図示しない躯体フレームを備えており、四隅に立設された柱と、柱の上端部同士を連結する天井フレームと、柱の下端部同士を連結する床フレームとを含んで構成されている。そして、天井フレームの一部を構成する建物外側の天井大梁と、床フレームの一部を構成しかつ当該天井大梁と建物上下方向に対向して配置された床大梁とには、建物１０の「外壁１６」の一般部を構成する外壁パネル１８及び外壁１６における玄関１４の周辺部を構成する外壁パネル２０が取り付けられている。
【００３０】
外壁パネル１８は、その骨格を構成する外壁フレーム２２と、外壁１６の壁面の一部を構成する「外壁材２４」とを含んで構成されている。外壁フレーム２２は、一対の横桟２６と一対の縦桟２８とを含んで正面視で矩形枠状に構成されており、当該外壁フレーム２２には、矩形平板状の外壁材２４が図示しないネイル等の取付部材によって取り付けられている。
【００３１】
一方、外壁パネル２０は、その骨格を構成する「外壁フレーム３０」、一対の外壁材３２及び外壁材３４を含んで構成されており、当該外壁パネル２０には、後述する建具としての「片引戸５８」で開閉される「開口部３６」が設けられている。詳しくは、外壁フレーム３０は、上部壁２０Ａの一部を構成する上部側フレーム部３０Ａと、引込壁２０Ｂの一部を構成する引込側フレーム部３０Ｂと、開口部３６を構成する開口部フレーム部３０Ｃとを備えている。
【００３２】
上部側フレーム部３０Ａは、外壁フレーム３０の外枠を構成しかつ建物上下方向に延びる縦桟３８、４０の建物上方側の部分と、縦桟３８、４０の建物上方側の端部を連結する横桟４２と、横桟４２の建物下方側に配置されてその長さが横桟４２の半分程度の長さに設定された一対の横桟４４と、横桟４２とそれぞれの横桟４４とを横桟４２の中央部で建物上下方向に連結する縦桟４６と、を含んで構成されている。なお、縦桟３８は、開口部３６側に配置されており、縦桟４０は、引込壁２０Ｂ側に配置されている。一方、外壁材３２は、横桟４２の延在方向を長手方向とされた矩形平板状とされており、上部側フレーム部３０Ａにその長手方向に連なって配置されて、図示しないネイル等の取付部材によって取り付けられている。
【００３３】
引込側フレーム部３０Ｂは、縦桟４０の上部側フレーム部３０Ａよりも建物下方側の部分と、横桟４４の建物下方側に配置されてその長さが横桟４２と同程度の長さに設定された横桟４８におけるその中央部から縦桟４０までの部分と、横桟４８の当該部分の建物下方側に配置されて引込側フレーム部３０Ｂの下枠を構成する横桟５０と、横桟４８と横桟５０とを連結する縦桟５２とを含んで正面視で矩形枠状に構成されている。そして、引込側フレーム部３０Ｂには、縦桟４０の延在方向を長手方向とされた矩形平板状の外壁材３４が、図示しないネイル等の取付部材によって取り付けられて引込壁２０Ｂの壁面を構成している。なお、外壁材３２と外壁材３４との間には、所定の間隔があけられており、この部分には、後述するように片引戸５８の一部を構成する「建具枠６０」の一部が納まるようになっている。
【００３４】
開口部フレーム部３０Ｃは、縦桟３８の上部側フレーム部３０Ａよりも建物下方側の部分と、横桟４８におけるその  中央部から縦桟３８までの部分と、横桟４８の当該部分の建物下方側に配置されて開口部３６の下枠を構成する横桟５４と、縦桟５２と隣接しかつ横桟４８と横桟５４とを連結する縦桟５６とを含んで正面視で矩形枠状に構成されている。そして、図６に示されるように、開口部フレーム部３０Ｃには、片引戸５８が取り付けられている。なお、上述した建物ユニット１２の構成要素は、基本的にメーターモジュールが設計基準とされて設計されている。
【００３５】
図３及び図４にも示されるように、片引戸５８は、その主な部分が開口部３６の周縁部に沿って配置された建具枠６０と当該建具枠６０に沿って移動可能な障子部（引戸本体部）６２とを含んで構成されている。建具枠６０は、上枠６４、点検カバー６６、上枠アタッチメント６８、アタッチメントカバー７０、縦枠部としての「縦枠７２」、同じく縦枠部としての「方立７４」及び下枠７６を備えている。上枠６４は、建具枠６０の建物上方側の部分を構成しており、障子部６２の移動方向に延びると共に、当該移動方向から見て複数の仕切り部で区画された筒状の本体部６４Ａと、本体部６４Ａから建物外側に延びる延出部６４Ｂとを含んで構成されている。
【００３６】
本体部６４Ａの建物外側には、障子部６２の建物上方側の端部に設けられた吊戸車７８を支持する戸車支持部８０が、図示しない取付部材で取り付けられている。そして、吊戸車７８及び本体部６４Ａは、延出部６４Ｂに係止された点検カバー６６で建物外側から覆い隠されている。
【００３７】
一方、本体部６４Ａの建物下方側には、上枠アタッチメント６８が配置されている。この上枠アタッチメント６８は、障子部６２の移動方向に延びると共に、当該移動方向から見て複数の仕切り部で区画された筒状とされていると共に、本体部６４Ａに係止されている。なお、上枠アタッチメント６８は、当該上枠アタッチメント６８に係止されたアタッチメントカバー７０に建物下方側から覆い隠されている。また、上枠６４、点検カバー６６等の一部は、正面視で開口部フレーム部３０Ｃから引込側フレーム部３０Ｂ側に張り出した状態となっており、外壁材３２と外壁材３４との間に納まっている。
【００３８】
下枠７６は、建具枠６０の建物下方側の部分を構成しており、障子部６２の移動方向に延びている。また、下枠７６には、ガイドローラー８２が設けられており、当該ガイドローラー８２によって、障子部６２が案内されるようになっている。
【００３９】
縦枠７２は、建具枠６０における障子部６２の戸先側の部分を構成すると共に、縦桟３８に沿って建物上下方向に延びており、図１にも示されるように、建具枠６０の周縁部の一部を構成する「縦壁部７２Ａ」と、縦壁部７２Ａの建物内側の周縁部から障子部６２と反対側に延出された「フランジ部７２Ｂ」とを含んで構成されている。なお、フランジ部７２Ｂは、板厚方向を外壁材２４の板厚方向とされて建物上下方向に延びており、後述するように、ねじ９６で縦桟３８に取り付けられている。
【００４０】
方立７４は、建具枠６０における縦枠７２と反対側の縦枠部の一部として機能しており、開口部３６側と引込壁２０Ｂ側とを仕切っている。なお、本実施形態では、図２に示されるように、上枠６４における縦枠７２と反対側の「縦壁部６４Ｃ」も建具枠６０の周縁部の一部を構成しており、当該縦壁部６４Ｃの建物内側の周縁部からは、「フランジ部６４Ｄ」が縦枠７２と反対側に延出されている。なお、フランジ部６４Ｄは、板厚方向を外壁材２４の板厚方向とされて建物上下方向に延びており、後述するように、ねじ１１０で縦桟４０に取り付けられている。なお、上述した片引戸５８の構成要素は、基本的に尺モジュールが設計基準とされて設計されている。
【００４１】
ここで、本実施形態では、図１及び図２に示されるように、建具枠６０の縦枠７２と開口部３６側に配置された外壁パネル１８の外壁材２４との境界部と、上枠６４と引込壁２０Ｂ側に配置された外壁パネル１８の外壁材２４との境界部との二箇所に本実施形態に係る建具枠と外壁材とのシール構造が適用されている。以下、本実施形態に係る建具枠と外壁材とのシール構造について詳細に説明していくが、上記二箇所は、基本的に同様の構成とされているため、縦枠７２と外壁材２４との境界部の構成を中心に説明していくこととする。
【００４２】
図１に示されるように、縦枠７２の縦壁部７２Ａと外壁材２４の外壁材２４の周縁部としての「先細り部２４Ａ」との間には、双方から離間されて当該縦壁部７２Ａ及び先細り部２４Ａに沿って延びる「目地部８８」が配置されており、当該目地部８８は、「目地下地部９０」と「目地化粧部９２」とを備えている。
【００４３】
目地下地部９０は、鋼製とされており、「取付部９０Ａ」と「第１立上り部９０Ｂ」と「第２立上り部９０Ｃ」とを含んで構成されている。なお、目地下地部９０は、鋼以外の材質で構成されていてもよい。取付部９０Ａは、板厚方向を外壁材２４の板厚方向とされて建物上下方向に延びる矩形の板状とされており、縦桟３８のウェブ部３８Ａに沿って配置されている。そして、取付部９０Ａは、止水材９４を介してウェブ部３８Ａに当接された状態とされて、ねじ８４で当該ウェブ部３８Ａに取り付けられている。なお、止水材９４は、外壁材２４と外壁フレーム２２との間にも配置されている。
【００４４】
第１立上り部９０Ｂは、取付部９０Ａの外壁材２４側の周縁部から建物外側に延出された板状とされており、その外壁材２４の厚さ方向の寸法Ｌ１が、外壁材２４の先細り部２４Ａにおける外壁材２４の厚さ方向の寸法Ｔ１と同様の寸法に設定されている。第２立上り部９０Ｃは、取付部９０Ａの縦桟２８側の周縁部から建物外側に延出された板状とされており、その外壁材２４の厚さ方向の寸法Ｌ２が外壁材２４の一般部２４Ｂにおける外壁材２４の厚さ方向の寸法Ｔ２と同様の寸法に設定されている。また、第２立上り部９０Ｃの建物上下方向の長さは、縦枠７２のフランジ部７２Ｂの建物上下方向の長さと同じ長さに設定されている。なお、ここでいう「同じ長さ」には、第２立上り部９０Ｃの建物上下方向の長さとフランジ部７２Ｂの建物上下方向の長さとが、所定の範囲で異なる構成も含まれる。
【００４５】
一方、目地化粧部９２は、鋼製とされていると共に、「覆い部９２Ａ」と「第１延出部９２Ｂ」と「第２延出部９２Ｃ」と「第３延出部９２Ｄ」とを含んで構成されており、建物上下方向の長さが目地下地部９０の建物上下方向の長さと同様の長さに設定されている。覆い部９２Ａは、板厚方向を外壁材２４の板厚方向とされて目地下地部９０に沿って延びており、建物外側から見て当該目地下地部９０の取付部９０Ａを覆い隠した状態となっている。
【００４６】
第１延出部９２Ｂは、覆い部９２Ａの外壁材２４側の周縁部から建物内側に延出された板状とされており、その先端部が目地下地部９０の第１立上り部９０Ｂにおける外壁材２４の反対側の面に沿って配置されている。第２延出部９２Ｃは、覆い部９２Ａの縦枠７２側の周縁部から建物内側に延出された板状とされており、目地下地部９０の第２立上り部９０Ｃにおける縦枠７２側の面に沿って配置されている。第３延出部９２Ｄは、第２延出部９２Ｃの建物内側の周縁部から外壁材２４と反対側に延びていると共に、縦枠７２のフランジ部７２Ｂにおける建物外側の面に沿って配置されており、建物外側からねじ９６が螺入されることで、フランジ部７２Ｂと共に縦桟３８に取り付けられている。なお、第３延出部９２Ｄが縦桟３８に取り付けられた状態において、目地下地部９０の第２立上り部９０Ｃの先端部は、覆い部９２Ａに当接されているか、当該覆い部９２Ａと僅かに隙間があけられた状態となっている。
【００４７】
また、上記のように構成された目地部８８と外壁材２４の先細り部２４Ａとの間には、隙間があいており、当該隙間には、定型シール部としての「ガスケット９８」が配置されている。このガスケット９８は、目地下地部９０の第１立上り部９０Ｂと先細り部２４Ａとの間に嵌め込まれた本体部９８Ａと、第１立上り部９０Ｂの建物外側の端部及び先細り部２４Ａに係止された「リップ部９８Ｂ」とを備えている。そして、ガスケット９８によって目地部８８と先細り部２４Ａとの間の隙間が建物外側からシールされるようになっている。また、第１立上り部９０Ｂの建物外側の端部の位置は、第１立上り部９０Ｂの寸法Ｌ１が上記のように設定されることで、リップ部９８Ｂが当該端部及び先細り部２４Ａに係止可能な位置に設定されている。なお、第１立上り部９０Ｂの建物外側の端部の位置は、リップ部９８Ｂが当該端部及び先細り部２４Ａに係止可能な範囲において変更可能である。
【００４８】
一方、目地部８８におけるガスケット９８の反対側では、当該目地部８８と縦枠７２の縦壁部７２Ａとの間に隙間があいており、当該隙間には、湿式シール部としての「シーリング材１００」が配置されている。詳しくは、シーリング材１００は、縦壁部７２Ａ、フランジ部７２Ｂ、第２延出部９２Ｃ及び第３延出部９２Ｄで仕切られた隙間に充填されており、当該シーリング材１００によって当該隙間が建物外側からシールされている。なお、本実施形態では、目地部８８を基準とした場合、ガスケット９８側と外壁材２４側とは同義であり、シーリング材１００側と縦枠７２側とは同義である。
【００４９】
次に、図２を用いて上枠６４と引込壁２０Ｂ側に配置された外壁パネル１８の外壁材２４との境界部の構成について簡単に説明することとする。上枠６４の縦壁部６４Ｃと外壁材２４の先細り部２４Ａとの間には、双方から離間されて当該縦壁部６４Ｃ及び先細り部２４Ａに沿って延びる「目地部１０２」が配置されており、当該目地部１０２は、「目地下地部１０４」と「目地化粧部１０６」とを備えている。
【００５０】
目地下地部１０４は、「取付部１０４Ａ」と「第１立上り部１０４Ｂ」と「第２立上り部１０４Ｃ」とを含んで目地下地部９０と同様の構成されており、目地化粧部１０６は、「覆い部１０６Ａ」と「第１延出部１０６Ｂ」と「第２延出部１０６Ｃ」と「第３延出部１０６Ｄ」とを含んで目地化粧部９２と同様の構成とされている。そして、取付部１０４Ａは、ねじ１０８で縦桟３８に取り付けられており、第３延出部１０６Ｄは、ねじ１１０でフランジ部６４Ｄと共に縦桟４０に取り付けられている。なお、目地部１０２（第２立上り部１０４Ｃ）の建物上下方向の長さは、フランジ部６４Ｄの建物上下方向の長さに対応しており、目地部８８の建物上下方向の長さよりも短い長さに設定されている。
【００５１】
また、目地部１０２と外壁材２４の先細り部２４Ａとの間には、隙間があいており、当該隙間には、定型シール部としての「ガスケット１１２」が配置されており、当該ガスケット１１２は、「リップ部１１２Ａ」を備えている。そして、ガスケット１１２によって目地部１０２と先細り部２４Ａとの間の隙間が建物外側からシールされるようになっている。
【００５２】
一方、目地部１０２におけるガスケット１１２の反対側では、当該目地部１０２と縦壁部６４Ｃとの間に隙間があいており、当該隙間には、湿式シール部としての「シーリング材１１４」が配置されており、シーリング材１１４によって当該隙間が建物外側からシールされている。
【００５３】
＜本実施形態の作用及び効果＞
次に、本実施形態の作用並びに効果を説明する。
【００５４】
本実施形態では、上述したように、建具枠６０の縦枠７２と外壁材２４との境界部（図１参照）と、上枠６４と外壁材２４との境界部（図２参照）とに本実施形態に係る建具枠と外壁材とのシール構造が適用されているが、便宜上、図１を主に用いて本実施形態の作用並びに効果を説明することとする。
【００５５】
本実施形態では、図５及び図６に示されるように、建物１０の外壁１６に設けられた開口部３６に片引戸５８が配置されており、片引戸５８の一部を構成する建具枠６０が当該開口部３６の周縁部に沿って配置されている。また、図１に示されるように、外壁１６の壁面の一部を構成する外壁材２４の先細り部２４Ａと建具枠６０の周縁部とは、互いに離間された状態となっている。
【００５６】
ところで、片引戸５８の寸法基準と建物１０の寸法基準とが異なっている場合、具体的には、片引戸５８に尺モジュールが採用されると共に建物１０にメーターモジュールが採用されている場合、片引戸５８の寸法基準と建物１０の寸法基準が同一である場合と比し、外壁材２４の先細り部２４Ａと建具枠６０の周縁部との間の間隔が大きくなる。この場合、外壁材２４と建具枠６０との間の水密性並びに気密性を確保するために、外壁材２４の先細り部２４Ａと建具枠６０の周縁部との間を湿式シール材のみでシールしようとすると、建物１０の外観が損なわれると共に、所定のシール性能を得られないことが考えられる。
【００５７】
ここで、本実施形態では、建具枠６０の縦枠７２における縦壁部７２Ａと外壁材２４の先細り部２４Ａとの間に双方から離間して配置されて当該縦壁部７２Ａ及び当該先細り部２４Ａに沿って延びる目地部８８を有している。このため、縦壁部７２Ａと先細り部２４Ａとの間の隙間の一部を目地部８８で埋めることができ、当該隙間を湿式シール材のみで埋める場合と比し、建物１０の外観を向上させることができる。
【００５８】
また、目地部８８と先細り部２４Ａとの間の隙間には、ガスケット９８が配置されており、当該隙間を建物外側からシールすることができるため、目地部８８と外壁材２４との間の水密性並びに気密性を確保することができる。一方、目地部８８におけるガスケット９８の反対側では、当該目地部８８と縦壁部７２Ａとの間の隙間にシーリング材１００が配置されており、当該隙間を建物外側からシールすることができるため、目地部８８と建具枠６０との間の水密性並びに気密性を確保することができる。したがって、本実施形態では、建具枠６０の寸法基準と建物１０の寸法基準とが異なっている場合において、建物１０の外観品質を確保しつつ、建具枠６０と外壁材２４との間の水密性並びに気密性を確保することができる。
【００５９】
また、本実施形態では、建具枠６０が建物上下方向に延びる縦枠７２を備えており、建具枠６０の周縁部のうち当該縦枠７２を構成する部分からは、板厚方向を外壁材２４の板厚方向とされて建物上下方向に延びるフランジ部７２Ｂが目地部８８側に延びている。
【００６０】
一方、目地部８８は、目地下地部９０と目地化粧部９２とを含んで構成されており、当該目地下地部９０は、取付部９０Ａと、第１立上り部９０Ｂと、第２立上り部９０Ｃとを含んで構成されている。そして、取付部９０Ａは、板厚方向を外壁材２４の板厚方向とされて建物上下方向に延びる板状とされていると共に、外壁１６の骨格を構成する外壁フレーム３０に取り付けられている。この取付部９０Ａのガスケット９８側の周縁部からは、第１立上り部９０Ｂが建物外側に延出されており、当該第１立上り部９０Ｂの建物外側の端部の位置を調整することでガスケット９８の位置を適切な位置に設定することが可能となる。一方、取付部９０Ａのシーリング材１００側の周縁部からは、第２立上り部９０Ｃが建物外側に延出されており、縦枠７２の取付時において、縦枠７２のフランジ部７２Ｂを第２立上り部９０Ｃに当接させることで第２立上り部９０Ｃを縦枠７２のガイドとして用いることができる。
【００６１】
さらに、目地化粧部９２は、板厚方向を外壁材２４の板厚方向とされて目地下地部９０に沿って延びる覆い部９２Ａを備えており、当該覆い部９２Ａによって目地下地部９０の取付部９０Ａを建物外側から覆い隠すことができる。したがって、本実施形態では、建具枠６０の設置作業の簡易化を図ることができると共に、建具枠６０の周辺部の外観品質を確保することができる
【００６２】
また、本実施形態では、ガスケット９８がリップ部９８Ｂを含んで構成されており、当該リップ部９８Ｂは、ガスケット９８が目地部８８と外壁材２４の先細り部２４Ａとの間の隙間に配置された状態において先細り部２４Ａに係止されるようになっている。
【００６３】
ここで、本実施形態では、第１立上り部９０Ｂの建物外側の端部の位置が、ガスケット９８が目地部８８と先細り部２４Ａとの間の隙間に配置された状態においてリップ部９８Ｂが先細り部２４Ａ及び当該端部に係止可能な位置に設定されている。このため、ガスケット９８が目地部８８と先細り部２４Ａとの間の隙間に配置された状態において、ガスケット９８のリップ部９８Ｂを先細り部２４Ａ及び第１立上り部９０Ｂの建物外側の端部に密着させることができる。したがって、本実施形態では、目地部８８と外壁材２４との間の水密性並びに気密性をより確保することができる。
【００６４】
また、本実施形態では、目地下地部９０の第２立上り部９０Ｃの建物上下方向の長さが、縦枠７２のフランジ部７２Ｂの建物上下方向の長さと同じ長さに設定されている。このため、縦枠７２を取り付けるときに、当該縦枠７２のフランジ部７２Ｂの位置を目地下地部９０の第２立上り部９０Ｃを基準として位置合わせすることができる。なお、縦枠７２の位置合わせは、縦桟２８の上端部を外壁材３２に当接させることによっても可能である。したがって、本実施形態では、建具枠６０の取付作業を簡略化することができる。
【００６５】
加えて、本実施形態では、目地化粧部９２が第１延出部９２Ｂと第２延出部９２Ｃと第３延出部９２Ｄとを含んで構成されている。第１延出部９２Ｂは、覆い部９２Ａのガスケット９８側の周縁部から建物内側に延びると共に、目地下地部９０の第１立上り部９０Ｂにおけるガスケット９８の反対側の面に沿って配置されている。このため、目地化粧部９２、目地下地部９０及びガスケット９８の納まりを良好なものとすることができる。
【００６６】
また、第２延出部９２Ｃは、覆い部９２Ａのシーリング材１００側の周縁部から建物内側に延びると共に目地下地部９０の第２立上り部９０Ｃのシーリング材１００側の面に沿って配置されており、当該第２延出部９２Ｃの建物内側の周縁部からは、ガスケット９８の反対側に延びる第３延出部９２Ｄが設けられている。このため、目地化粧部９２と目地下地部９０とで構成される閉空間内に水等が浸入するのを抑制することができる。さらに、第３延出部９２Ｄは、縦枠７２のフランジ部７２Ｂの建物外側の面に沿って配置されており、目地化粧部９２及び縦枠７２を共通のねじ９６で取り付けることができる。したがって、本実施形態では、目地部８８の外観品質を確保しつつ建具枠６０の取付作業を簡略化することができる。
【００６７】
＜上記実施形態の補足説明＞
（１）  上述した実施形態では、目地部８８が目地下地部９０及び目地化粧部９２の二つの部材で構成されていたが、これに限らない。例えば、目地化粧部９２を、建物上下方向から見た断面が第１立上り部９０Ｂと第２立上り部９０Ｃとの間に納まる建物内側に開放されたコ字状とされた部材で構成すると共に、当該目地化粧部９２を、目地下地部９０と目地化粧部９２との間に介在するクリップで当該目地下地部９０に固定する構成としてもよい。
【００６８】
（２）  さらに、目地下地部９０及び目地化粧部９２の構成としては、上記以外にも次のようなものが挙げられる。すなわち、目地下地部９０をアルミの押し出し材で構成して第１立上り部９０Ｂ及び第２立上り部９０Ｃにおける互いに対向する面に突起部を設けると共に、目地化粧部９２を建物上下方向から見た断面が第１立上り部９０Ｂと第２立上り部９０Ｃとの間に納まる建物内側に開放されたコ字状とされた部材で構成して当該目地化粧部９２に当該突起部に対応する被係止部を設ける構成としてもよい。
【００６９】
（３）  また、目地部８８は、一つの部材で構成されていてもよく、例えば、建物上下方向に延びる筒状の部材で目地部８８が構成されていてもよい。
【００７０】
（４）  加えて、上述した実施形態に係る建具枠と外壁材とのシール構造は、片引戸のみでなく種々の建具に適用することが可能である。
【符号の説明】
【００７１】
１０      建物
１６      外壁
２４      外壁材
２４Ａ    先細り部（外壁材の周縁部）
３０      外壁フレーム
３６      開口部
５８      片引戸（建具）
６０      建具枠
６４Ｃ    縦壁部（建具枠の周縁部）
６４Ｄ    フランジ部
７２      縦枠（縦枠部）
７２Ａ    縦壁部（建具枠の周縁部）
７２Ｂ    フランジ部
７４      方立（縦枠部）
８８      目地部
９０      目地下地部
９０Ａ    取付部
９０Ｂ    第１立上り部
９０Ｃ    第２立上り部
９２      目地化粧部
９２Ａ    覆い部
９２Ｂ    第１延出部
９２Ｃ    第２延出部
９２Ｄ    第３延出部
９８      ガスケット（定型シール部）
９８Ｂ    リップ部
１００    シーリング材（湿式シール部）
１０２    目地部
１０４    目地下地部
１０４Ａ  取付部
１０４Ｂ  第１立上り部
１０４Ｃ  第２立上り部
１０６    目地化粧部
１０６Ａ  覆い部
１０６Ｂ  第１延出部
１０６Ｃ  第２延出部
１０６Ｄ  第３延出部
１１２    ガスケット（定型シール部）
１１２Ａ  リップ部
１１４    シーリング材（湿式シール部）
【図１】
2019052492.tif 000003
【図２】
2019052492.tif 000004
【図３】
2019052492.tif 000005
【図４】
2019052492.tif 000006
【図５】
2019052492.tif 000007
【図６】
2019052492.tif 000008